(57)【要約】      （修正有）【課題】自転車の馬蹄型ロックに連結して一体にしたスチールケーブルを備え、シリンダーで同時にラッチ、スチールケーブルの施錠と解錠をコントロールし、二重防犯及び使用が便利である自転車の馬蹄型ロックとスチールケーブル連結の構造を提供する。【解決手段】スチールケーブル施錠を備えた馬蹄型ロックである。馬蹄型ロックのロック本体１０は、シリンダーがラッチ１２を施錠、解錠する他に、スチールケーブル３０を組み合わせた第二ロックユニット２０を設置する。第二ロックユニット２０は固定台２１、施錠塊２４、前バネ２５、後バネから構成し、シリンダーが環形ラッチを施錠、解錠する時、同時に第二ロックユニット２０をスチールケーブル３０に施錠、解錠し、スチールケーブル３０は周辺環境のその他物件でロックする。【選択図】図３
0003182128.tif 000002
【実用新案登録請求の範囲】
【請求項１】
自転車の馬蹄型ロックとスチールケーブル連結の構造において、
ロック本体はシリンダー、ラッチを備え、シリンダーはラッチを制御して施錠、解錠し、ロック本体の一端は第二ロックユニットを設置し、第二ロックユニットは固定台、施錠塊、前バネ、後バネ、スチールケーブルから構成して設置し、固定台は差込孔、納置槽、軸心を備えて設置し、施錠塊は固定台の納置槽内に組み立て、軸心に枢設し、後バネは固定台の納置槽に組み立て、施錠塊後端の槽孔で押さえ、前バネは施錠塊前端の凸柱に設置し、スチールケーブルは差込ヘッドを備え、固定台の差込孔に挿入し、施錠塊は差込ヘッドに掛合するもので、シリンダーがラッチを制御して施錠する時、ラッチは第二ロックユニットの施錠塊を押さえ、差込ヘッドを差込孔に挿入して施錠塊で掛合することで差込ヘッドのスチールケーブルを施錠する効果を形成し、シリンダーがラッチを制御して解錠する時、ラッチは錠塊を押さえず、施錠塊が後バネの弾力によってスチールケーブルの差込ヘッドから離れ、差込ヘッドのスチールケーブルが第二ロックユニットから離れることを特徴とする自転車の馬蹄型ロックとスチールケーブル連結の構造。
【考案の詳細な説明】
【技術分野】
【０００１】
本考案は、自転車の馬蹄型ロックとスチールケーブル連結の構造に関するもので、自転車の馬蹄型ロックに連結して一体にしたスチールケーブルを備え、シリンダーで同時にラッチ、スチールケーブルの施錠と解錠をコントロールし、二重防犯及び使用が便利である。
【背景技術】
【０００２】
公知の自転車の馬蹄型ロック構造は、図１に示すとおり、ロック本体１に環形のラッチ３及びシリンダー２を組み立てる。シリンダー２はラッチ３をコントロールしてロックして施錠、または開放して解錠する。上述の公知構造は、使用時に以下の欠点がある。ロック本体１は、自転車フレームと固定して一体にしてそのラッチ３は自転車輪に施錠するが、自転車は施錠しない。そのため、自転車泥棒は自転車ごと盗んでしまうことができる。他に「スチールケーブル」を採用したロックは、シリンダーにスチールケーブルを備え、シリンダーはスチールケーブルを施錠し、スチールケーブルを周辺のその他物件（例として欄干）に掛ける。但し、それには以下の欠点がある。公知のスチールケーブル式ロックは、独立した個体で、自転車体と一体にならない。そのため、使用時には先ずスチールケーブルを外さなければならず、使用後はスチールケーブルを自転車に掛合しなければならないため、使い勝手が悪い。
【先行技術文献】
【特許文献】
【０００３】
【特許文献１】特開平１０−１９６１８７号公報
【考案の概要】
【考案が解決しようとする課題】
【０００４】
解決しようとする問題点は、自転車車輪のロック、その他物件への施錠はどちらも独立個体で、単一の施錠の機能しかないため、同時に自転車輪を施錠し、周辺環境のその他物件に連結することができない点である。
【課題を解決するための手段】
【０００５】
本考案は、スチールケーブル施錠を備えた馬蹄型ロックである。主に、馬蹄型ロックのロック本体は、ロック中心がラッチを施錠、解錠する他に、スチールケーブルを組み合わせた第二ロックユニットを設置する。第二ロックユニットは固定台、施錠塊、前バネ、後バネから構成し、シリンダーが環形ラッチを施錠、解錠する時、同時に第二ロックユニットをスチールケーブルに施錠、解錠し、スチールケーブルは周辺環境のその他物件でロックすることを最も主要な特徴とする。
【考案の効果】
【０００６】
本考案の自転車の馬蹄型ロックとスチールケーブル連結の構造は、自転車の馬蹄型ロックに連結して一体にしたスチールケーブルを備え、シリンダーで同時にラッチ、スチールケーブルの施錠と解錠をコントロールし、二重防犯及び使用が便利であるという利点がある。
【図面の簡単な説明】
【０００７】
【図１】公知の立体図である。
【図２】本考案の立体外観図である。
【図３】本考案の局部断面立体図である。
【図４】本考案の第二ロックユニット立体分解図である。
【図５】本考案の第二ロックユニットがロックした状態断面図である。
【図６】本考案の第二ロックユニットが開放した状態断面図である。
【図７】本考案の使用状態立体図である。
【図８】本考案の別形態の実施例立体図である。
【考案を実施するための形態】
【０００８】
本考案は、上述公知の自転車の馬蹄型ロックの欠点を改善するもので、馬蹄型ロックのロック本体は、シリンダーがラッチを施錠、解錠する他に、第二ロックユニットを設置し、第二ロックユニットは固定台、施錠塊を備え、スチールケーブルの差込ヘッドに挿入し、ラッチでスチールケーブルの差込ヘッドを施錠、解錠する。そのため、ロック中心が同時にラッチ、スチールケーブルを施錠し、ラッチが自転車輪を止め、スチールケーブルが周辺環境その他物件で止めることで、二重施錠の防犯効果を形成し、使用しやすい。
【実施例】
【０００９】
図２、３、４、５、６、７に示すとおり、ロック本体１０はシリンダー１１、ラッチ１２を備え、シリンダー１１はラッチ１２を制御して施錠、解錠する。ロック本体１０一端は更に第二ロックユニット２０を設置し、第二ロックユニット２０は固定台２１、施錠塊２４、前バネ２５、後バネ２６、スチールケーブル３０から構成して設置する。固定台２１は差込孔２１０、納置槽２２、軸心２３を備え、施錠塊２４は固定台２１の納置槽２２内に組み立てる。更に軸心２３に枢設し、後バネ２６は固定台２１の納置槽２２に組み立てる。更に施錠塊２４後端の槽孔２４１で押さえ、前バネ２５は施錠塊２４前端の凸柱２５１で組み立て、スチールケーブル３０は差込ヘッド３１を備え、差込ヘッド３１は環槽３２、及び固定台２１に差し込む差込孔２１０を備え、施錠塊２４は差込ヘッド３１の環槽３２に掛合して形成する。
【００１０】
上述構造に基づき、本考案の作用、効果を以下に詳細に説明する。図５、７はシリンダー１１がロックされた状態で、その時のラッチ１２は自転車輪を施錠している(図７所示)。更にラッチ１２は前バネ２５(図５参照)で押さえ、後バネ２６の弾力は前バネ２５より小さいので、第二ロックユニット２０の施錠塊２４を一角度変転させる。スチールケーブル３０を施錠したい場合には、スチールケーブル３０の差込ヘッド３１を第二ロックユニット２０の差込孔２１０に挿入し、差込ヘッド３１が施錠塊２４を押圧し、施錠塊２４によって前バネ２５を押さえて一角度変転し、差込ヘッド３１を通過し、差込ヘッド３１の環槽３２箇所へ通過したのを待って，施錠塊２４が前バネ２５の回復弾力で一角度変転し、施錠塊２４がスチールケーブル３０の差込ヘッド３１の環槽３２内に掛合し、差込ヘッド３１を施錠する。即ち、スチールケーブル３０は外れない。またスチールケーブル３０は周辺環境のその他物件(例として：欄干、もしくは別一輛自転車の車体フレーム)に巻きつけて止める。言い換えると、シリンダー１１がラッチ１２を施錠する時、スチールケーブル３０の差込ヘッド３１を同時に施錠し、二重施錠の防犯効果を達成し、車輪の窃盗もしくは自転車全体の窃盗を防止する。解錠する時、図６に示すとおり、ロック中心が解錠すると、ラッチ１２が下がって解錠状態になる。その時、ラッチ１２は施錠塊２４を押さえず、その後バネ２６の弾力が施錠塊２４を反対方向へ一角度変転させる。即ち、施錠塊２４はスチールケーブルの差込ヘッド３１の環槽３２から離れ、差込ヘッド３１を固定台２１から離し、スチールケーブルがその他物件に連結せず解錠する。
【００１１】
他に、上述の技術手段に基づき、本考案は図８の形態で実施してもよく、シリンダー１４をロック本体１３上端に設置し、ロック本体１３は第二ロックユニット２０に設置することで、同様にスチールケーブルを連結した二重施錠を達成する。
【００１２】
上述のとおり、本考案の構造、効果に於いて、極めて良好な実用性と効果を備えることから、実用新案の申請条件に符合する。
【符号の説明】
【００１３】
１        ロック本体
１０        ロック本体
１１        シリンダー
１２        ラッチ
１３        ロック本体
１４        シリンダー
２        シリンダー
２０        第二ロックユニット
２１        固定台
２１０        差込孔
２２        納置槽
２３        軸心
２４        施錠塊
２４１        槽孔
２５        前バネ
２５１        凸柱
２６        後バネ
３        ラッチ
３０        スチールケーブル
３１        差込ヘッド
３２        環槽
【図１】
0003182128.tif 000003
【図２】
0003182128.tif 000004
【図３】
0003182128.tif 000005
【図４】
0003182128.tif 000006
【図５】
0003182128.tif 000007
【図６】
0003182128.tif 000008
【図７】
0003182128.tif 000009
【図８】
0003182128.tif 000010